(57)【要約】 【課題】  受信側が受信する垂直偏波に対応して、携帯型発信機から垂直偏波を発信し、また、カードのアンテナが携帯型発信機の発信信号に対する影響を低減する。【解決手段】  少なくとも送信を行うアンテナを有する発信部を備えた携帯型発信機において、取り付け部９を備える。取り付け部９は、アンテナ６の長手方向をほぼ鉛直方向に取り付ける。【選択図】  図１
2006262400.tif 000002
【特許請求の範囲】
【請求項１】
少なくとも送信を行うアンテナを有する発信部を備えた携帯型発信機において、
当該携帯型発信機は取り付け部を備え、
前記取り付け部は、前記アンテナの長手方向をほぼ鉛直方向に取り付けることを特徴とする携帯型発信機。
【請求項２】
前記携帯型発信機が備える本体は、カードを着脱自在に収納するカード収納部を有するほぼ矩形形状のカードホルダを有し、
前記発信部のアンテナの長手方向は、前記カードホルダの短辺又は長辺と平行となるように配置されていることを特徴とする請求項１に記載の携帯型発信機。
【請求項３】
前記発信部を、前記カードホルダの裏面中央部に設けることを特徴とする請求項２に記載の携帯型発信機。
【請求項４】
前記発信部のアンテナを、前記カード収納部に収納されたカードが備えるアンテナと重ならない位置に配置したことを特徴とする請求項２又は３に記載の携帯型発信機。
【請求項５】
前記発信部のアンテナを、前記カード収納部に収納されたカードの外縁部に配置されるループアンテナに対して、このループアンテナの内周側の領域内に配置したことを特徴とする請求項４に記載の携帯型発信機。
【請求項６】
前記発信部のアンテナを、前記カード収納部に収納されたカードが備えるループアンテナの一部と重なるように配置したことを特徴とする請求項２又は３に記載の携帯型発信機。
【請求項７】
前記発信部のアンテナの少なくとも一方の端部は、前記カード収納部に収納されたカードが備えるループアンテナと重なり、かつ、前記発信部のアンテナの長手方向は、前記カード収納部に収納されたカードが備えるループアンテナの配線方向を横切るように配設されていることを特徴とする請求項６に記載の携帯型発信機。
【請求項８】
前記取り付け部を、前記カードホルダの少なくとも一方の中心軸上に配置し、
前記取り付け部でカードホルダを取り付けたとき、前記取り付け部の下方となる位置であって、前記中心軸上又は中心軸の近傍に、前記発信部の少なくともアンテナを配置することを特徴とする請求項２〜７のいずれか１項に記載の携帯型発信機。
【請求項９】
前記取り付け部を、前記カードホルダの少なくとも一方の中心軸上に配置し、
前記発信部のアンテナの重心と前記発信部を動作させるための電池の重心とが、前記一方の中心軸を挟んだ両側に位置するように、前記アンテナと前記電池とを配置したことを特徴とする請求項２〜７のいずれか１項に記載の携帯型発信機。
【請求項１０】
前記発信部のアンテナを、前記カードホルダの一辺側に偏って配置し、
カウンタバランス用の重りを、前記カードホルダの対向する他辺側に設けることを特徴とする請求項２〜７のいずれか１項に記載の携帯型発信機。
【請求項１１】
前記発信部のアンテナを、前記カードホルダに収納されたカードが備えるＩＣと重ならない位置に配置したことを特徴とする請求項２〜１０のいずれか１項に記載の携帯型発信機。
【請求項１２】
前記カード収納部は略矩形形状であり、
前記カード収納部の長手方向と、前記発信部が備えるアンテナの長手方向とが直交するように配置し、
前記発信部が備えるアンテナを、前記カードホルダの裏面中央付近に配置し、
前記取り付け部を、前記カードホルダの長手方向の重心位置を通り、かつ、この長手方向と直行する直線上に設けたことを特徴とする請求項２〜１０のいずれか１項に記載の携帯型発信機。
【請求項１３】
前記カード収納部は略矩形形状であり、
前記カード収納部の長手方向と、前記発信部が備えるアンテナの長手方向とが直交するように配置し、
前記発信部が備えるアンテナの長さを、前記カード収納部の短手方向の幅よりも長く、かつ、前記カードホルダの短手方向の幅より短くするとともに、
前記発信部が備えるアンテナを、前記カードホルダの一方の面に配置したことを特徴とする請求項２〜１０のいずれか１項に記載の携帯型発信機。
【請求項１４】
前記取り付け部は、前記発信部と前記カードホルダとを一体に成型して成ることを特徴とする請求項１〜１３のいずれか１項に記載の携帯型発信機。
【請求項１５】
前記発信部が備えるアンテナは、ループアンテナであることを特徴とする請求項１〜１４のいずれか１項に記載の携帯型発信機。
【請求項１６】
前記発信部は、前記カードホルダに対して少なくとも９０°以上回転自在であることを特徴とする請求項２に記載の携帯型発信機。
【請求項１７】
前記取り付け部は、前記カードホルダの各辺に設けることを特徴とする請求項１６に記載の携帯型発信機。
【請求項１８】
前記取り付け部は、使用者に取り付けることを特徴とする請求項１乃至１７のいずれか１項に記載の携帯型発信機。
【請求項１９】
受信機を有する受信側に対して、少なくとも発信機を有する送信側を移動自在とする送受信システムにおいて、
前記発信機は、
少なくとも送信を行う長手方向を有する送信機アンテナと、
前記送信機アンテナの長手方向をほぼ鉛直方向に取り付ける取り付け部を備え、
前記受信機は、
前記発信機からの電波を受信するための長手方向を有する受信機アンテナと、
該受信機アンテナが鉛直方向になるように受信機を設置する設置部とを備えることを特徴とする送受信システム。
【発明の詳細な説明】
【技術分野】
【０００１】
本発明は、携帯型発信機、及び送受信システムに関し、特に、受信機のアンテナに対して垂直偏波を送信するに適した携帯型発信機、及び送受信システムに関する。
【背景技術】
【０００２】
近距離通信技術は、その適用範囲を種々の分野に広めている。例えば、セキュリティー性を要する分野への適用例として、外部装置と通信により応答可能な非接触媒体をカードケースに保持させ、この非接触媒体が備える送信手段によって情報を送信することによって本人照合を行い、入退出管理、構内での管理、自動改札等に利用することが提案されている（特許文献１，２，３参照）。
【０００３】
特許文献１に開示されるカードケースでは、カードケースの裏面にパッシブ型の非接触媒体を備え、外部装置から発信される給電用の電波を受信して動作を開始して情報を発信する構成が示されている。
【０００４】
特許文献２に開示される個人情報のキュリーシステムでは、個人情報が書き込まれた非接触型のデータキャリヤーの前面にカードケースを取り付け、このデータキャリヤーを衣服の胸等に吊り下げる構成が示されている。
【０００５】
特許文献３に開示される名札ケースでは、名札ケースにＩＣモジュールとアンテナを備えた構成が示されている。
【０００６】
パソコンなどの電気機器類や電子機器類では、第３者による不正使用や誤操作、あるいは盗難等を防止するために、携帯側の装置から所定の識別コード等の情報を受信側に送信し、この識別コードの照合によって対象機器の利用を許容するものも知られている。
【０００７】
【特許文献１】特開平７−１７１０１４号
【特許文献２】特開平７−３２００１２号
【特許文献３】特開２００１−１８８４７１号
【発明の開示】
【発明が解決しようとする課題】
【０００８】
上記したように、非接触媒体、データキャリヤー、あるいはＩＣモジュール等を携帯型発信機に搭載し、携帯型発信機からこれらに記録している情報を発信することによって、携帯型発信機を所持する利用者の管理や、あるいは携帯型発信機を所持する利用者が機器を使用する際の機器管理に利用することが知られている。
【０００９】
携帯型発信機の送信側から受信側に向けて情報を発信する構成では、受信側において考慮しなければならない電波条件がある。
【００１０】
受信側では、受信側が備えるアンテナにおいて十分な強度の受信電波が受信されることが求められる。この受信側での受信電波の強度を左右するものとして、受信機が設置される設置環境がある。
【００１１】
この設置環境として、アンテナの近傍に受信電波に影響を与える金属体が存在するかが問題となることが多い。例えば、パソコンなどの電気機器類や電子機器類は通常テーブル上に載置されたり、事務家具の近傍に配置されて状態で使用される。これら電気機器類や電子機器類が、アンテナで受信した受信信号を利用して機器の制御や管理を行う場合には、アンテナについてもテーブル上や事務家具の上に配置することが多いと考えられる。このように、アンテナをテーブル等の上に配置する際に、受信機のアンテナの長手方向をテーブル面に対して平行に配置すると、アンテナは主に水平偏波を受信する姿勢となる。
【００１２】
しかしながら、テーブルや事務家具がスチール製であるなど、金属材を含む場合には、アンテナの近傍に達した電波はこの金属材による影響を受け、強度が低下したり反射が起きたりする。そのため、アンテナをテーブルに近づけて水平方向に配置した場合には、アンテナには十分な強度の電波が届かないという問題が発生する場合がある（図１７（ａ））。
【００１３】
そこで、受信側のアンテナは金属材による影響を少なくするために、金属材からできるだけ離して配置することが望ましい。このように、アンテナをスチールテーブル等のような金属材からできるだけ離して配置するには、受信機のアンテナをできるだけ高い位置に配置すると共に、アンテナを鉛直方向に立てて縦方向となるように配置することが望ましい。なお、鉛直方向は水平方向に対して直交する方向であって、アンテナを地面に対して垂直方向に配置するものである（図１７（ｂ））。
【００１４】
このようにアンテナを鉛直方向に立てて縦方向となるように配置することによって、アンテナは、長手方向の一方の端部がスチール製のテーブルから離れるため、スチール製テーブルの影響を受け難くなり、十分な強度の電波を受けやすくなる。このアンテナ配置により、受信機は水平偏波よりも垂直偏波を受信やすくなる。
【００１５】
しかし、このようにアンテナを配置した受信機に対し、特許文献１〜３に記載のアンテナを、送信機のアンテナとして用いた場合には、次のような問題が生じる。
【００１６】
すなわち、特許文献２や特許文献３に記載のアンテナは、アンテナの長手方向が、地面に対して水平な向きで使用者に取り付けられるように配置されているため、送信電波は、垂直偏波よりも水平偏波の電波強度が強くなる。したがって、前記したアンテナ配置の受信機では水平偏波よりも垂直偏波を受信しやすい受信状態であるのに対して、送信機から送信される電波の垂直偏波の電波強度は水平偏波よりも弱い。そのため、垂直偏波を受信しやすい受信機において良好に受信を行うには、送信機側の送信強度を強くしなければならなかった。すなわち、送信効率が悪いという問題があった。
【００１７】
そこで、本発明は、上記した課題を解決し、効率よく電波を送信することができる携帯型発信機、及び効率のよい送受信が可能な送受信システムを提供することを目的とする。
【課題を解決するための手段】
【００１８】
本発明は、少なくとも送信を行うアンテナを有する発信部を備えた携帯型発信機において、携帯型発信機は取り付け部を備える。この取り付け部は、アンテナの長手方向をほぼ鉛直方向に取り付ける。ここで、鉛直方向は水平方向に対して垂直な方向であり、取り付け部はアンテナの長手方向が地面に対して垂直方向となるように取り付けを行う。取り付け部による携帯型発信機の取り付け先は、携帯型発信機を利用する利用者が着衣する衣服や持ち物、あるいは、近傍にある任意の物とすることができる。
【００１９】
なお、取り付け先は、セキュリティー管理に利用する場合には、利用者自身や利用者が管理するものであることが原則となるが、セキュリティー管理が不要である場合には、この利用者であることの制限は外すことができ、受信側の受信可能範囲内にある任意の物、箇所としてもよい。
【００２０】
携帯型発信機のアンテナは、その長手方向を鉛直方向に取り付けられる。この取り付け方向は、鉛直方向のみに限られるものではなく、ほぼ鉛直方向となる角度範囲を含むものであり、これによって、水平偏波よりも垂直偏波による電波強度が強くなり、受信側で受信する偏波の強度分布と対応するものとなる。
【００２１】
受信側において、縦方向に配置したアンテナは、水平方向の偏波（水平偏波）よりも、鉛直方向に振動する偏波（垂直偏波）の受信特性が良好であるため、本発明の携帯型発信機から発信した、水平偏波よりも強い電波強度の垂直偏波を良好に受信する。
【００２２】
携帯型発信機が備える本体は、カードを着脱自在に収納するカード収納部を有するほぼ矩形形状のカードホルダを有し、発信部のアンテナの長手方向は、カードホルダの短辺又は長辺と平行となるように配置する。この構成によって、カードホルダを衣服等に取り付けた際に、カードホルダの短辺あるいは長辺が鉛直方向となることで、発信部のアンテナを鉛直方向とすることができる。発信部は、カードホルダの裏面中央部に設けることができる。
【００２３】
発信部のアンテナは、カード収納部に収納されたカードが備えるアンテナと重ならない位置に配置する。ここで、両アンテナの重なりとは、カードホルダの表裏方向から見た際に、両アンテナの一部でも上下に（表裏方向）に重なることを意味している。
【００２４】
上記した両アンテナが重ならない位置とする態様として、カード収納部に収納されたカードの外縁部に配置されるループアンテナに対して、このループアンテナの内周側の領域内に発信部のアンテナを配置する構成により行うことができる。
【００２５】
前記したアンテナ配置の形態は、両アンテナの重なりが全くないように配置するものであるが、この配置形態に限らず、発信部のアンテナを、カード収納部に収納されたカードが備えるループアンテナの一部と重なるように配置する形態としてもよい。発信部のアンテナとカードが備えるループアンテナの一部が重なる配置の形態によれば、この重なりによって発信部のアンテナから発信される電波の強度に多少影響が現れるが、全て重なる場合と比較した場合よりは大きな強度が得られるため、受信側で受信するに十分な強度が得られる場合には、一部が重なるように配置する形態とすることができる。
【００２６】
上記した一部が重なるように配置する形態は、発信部のアンテナの少なくとも一方の端部は、カード収納部に収納されたカードが備えるループアンテナと重なり、かつ、発信部のアンテナの長手方向は、カード収納部に収納されたカードが備えるループアンテナの配線方向を横切るように配設する構成とすることができる。
【００２７】
この配置形態とすることで、前記したカード及びカードホルダの寸法条件と、発信部のアンテナの寸法条件とを満足させながら、カードホルダに発信部を設けることが可能となる。
【００２８】
本発明の携帯型発信機が備える取り付け部及びアンテナは、その配置を複数の形態とすることができる。
【００２９】
一形態は、取り付け部をカードホルダの少なくとも一方の中心軸上に配置すると共に、取り付け部によってカードホルダを取り付けた際に、取り付け部の下方となる位置であって、中心軸上又は中心軸の近傍に、発信部の少なくともアンテナを配置する。この形態によれば、取り付け部によって取り付けた際に、アンテナはその自重によって取り付け部の下方に垂下されると共に、カードホルダも中心軸を中心に左右の平衡を保って安定した位置に保持されることになる。
【００３０】
また、他の形態は、取り付け部をカードホルダの少なくとも一方の中心軸上に配置すると共に、発信部のアンテナの重心と発信部を動作させるための電池の重心とが、その一方の中心軸を挟む両側に位置するように、アンテナと電池を配置する。この形態によれば、取り付け部によって取り付けた際に、中心軸を挟んで両側にアンテナの重心と電池の重心とが位置するように、アンテナと電池とが配置されているため、カードホルダは中心軸を中心として左右の平衡を保って安定した位置に保持することができる。
【００３１】
また、他の形態は、発信部のアンテナを、カードホルダの一辺側に偏って配置すると共に、カウンタバランス用の重りをカードホルダの対向する他辺側に設ける。この形態によれば、前記したアンテナと電池を対向配置する形態と同様に、取り付け部によって取り付けた際に、中心軸を挟んで両側にアンテナとカウンタバランス用の重りとが配置されているため、カードホルダは中心軸を中心として左右の平衡を保って安定した位置に保持することができる。
【００３２】
発信部のアンテナに対する影響を減少させる配置として、発信部のアンテナを、カードホルダに収納されたカードが備えるＩＣと重ならない位置に配置することすることができる。
【００３３】
本発明の携帯型発信機のより詳細な形態は、カード収納部を略矩形形状とし、カード収納部の長手方向と、前記発信部が備えるアンテナの長手方向とが直交するように配置し、発信部が備えるアンテナを、カードホルダの裏面中央付近に配置し、取り付け部を、カードホルダの長手方向の重心位置を通り、かつ、この長手方向と直行する直線上に設ける。
【００３４】
また、本発明の携帯型発信機のより詳細な他の形態は、カード収納部を略矩形形状とし、カード収納部の長手方向と、発信部が備えるアンテナの長手方向とが直交するように配置し、発信部が備えるアンテナの長さを、カード収納部の短手方向の幅よりも長く、かつ、前記カードホルダの短手方向の幅より短くするとともに、発信部が備えるアンテナを、カードホルダの一方の面に配置する。
【００３５】
上記した各形態において、取り付け部は、発信部とカードホルダとを一体に成型して成る構成としてもよく、また、発信部が備えるアンテナはループアンテナとしてもよい。
また、発信部はカードホルダに対して固定した位置とする他に、発信部はカードホルダに対して少なくとも９０°以上回転自在とする構成としてもよい。
【００３６】
また、取り付け部は、カードホルダの各辺に設けておき、適宜選択して使用する構成と
【００３７】
本発明は、携帯型発信機により態様に加えて送受信システムの態様を含む。本発明の送受信システムの態様は、受信機を有する受信側に対して、少なくとも発信機を有する送信側を移動自在とする送受信システムであって、発信機は、少なくとも送信を行う長手方向を有する送信機アンテナと、送信機アンテナの長手方向をほぼ鉛直方向に取り付ける取り付け部を備え、受信機は、発信機からの電波を受信するための長手方向を有する受信機アンテナと、受信機アンテナが鉛直方向になるように受信機を設置する設置部とを備える。
【発明の効果】
【００３８】
本発明の携帯型発信機及び送受信システムによれば、取り付け部が、アンテナの長手方向をほぼ鉛直方向に取り付けるようにしたため、受信側が受信しやすい垂直偏波を効率よく発信することができる。
【発明を実施するための最良の形態】
【００３９】
以下、本発明の携帯型発信機及び送受信システムについて図を用いて詳細に説明する。
【００４０】
図１は、本発明の携帯型発信機の概略を説明するための平面図及び断面図である。携帯型発信機１は、本体２に発信部３と取り付け部９を備える。発信部３は、基板１１上にアンテナ６、ＩＣ８の等の回路素子、及び電池７等が載置され、アンテナ６から電波を送信する。また、取り付け部９は、本体２を例えば利用者の衣服に取り付けるための器具である。
【００４１】
本体２は、例えば、名札やカード等を保持するカードホルダ３を構成することができる。以下、カードホルダ３による構成について説明する。ここで、カード２０は、名札の他に、パッシブ型のカードとすることができる。パッシブ型カードは、カード本体にループアンテナ等のアンテナ素子とＩＣ素子（いずれも図示していない）を備え、ループアンテナは外部電波を受けることで給電を受け、ＩＣに格納される識別コード等の情報をループアンテナから送信する。
【００４２】
カードホルダ３はほぼ矩形形状のカード収納部４を有し、カード収納部４が備える溝等の保持部にカード２０を挿入するなどによってカード２０を着脱自在に収納して保持する。また、カード収納部４が備える窓部を通して、カードの表示面に印刷された写真や文字を表示することができる。
【００４３】
図１（ｂ）に示す断面図において、左方はカードホルダ３の表面を示しており、カード収納部４に収納されたカード２０を窓部を通して見ることができる。また、右方はカードホルダ３の裏面を示しており、カードホルダ３内に発信部５に設置されたアンテナ６や電池７やＩＣ８が裏カバーによって保持されている。なお、発信部５はカードホルダ３の裏面中央部に設ける。
【００４４】
一方、取り付け部９は、カードホルダ３の長辺あるいは短辺に設けられ、吊り下げ器具９ｂとこの吊り下げ器具９ｂをカードホルダ３に取り付けるための開口部９ａを備える。図示する吊り下げ器具９ｂは、一方の端部をカードホルダ３に形成された開口部９ａに通して取り付け、他方の端部はクリップやピン等の器具によって利用者の衣服に取り付けられる。なお、取り付け部９の取り付け先は、利用者の衣服に限らず、利用者が保持する手持ち品とする他、利用者自身の首から紐を用いてぶら下げるなど、任意の箇所とすることができ、取り付け部９が備える器具の機構は、取り付け先の形状や表面状態等に応じて、種々の取り付け器具の中から適宜選択することができる。
【００４５】
また、吊り下げ器具９bを設けずに、アンテナが鉛直方向となる向きに、利用者の衣服に取り付けるためのクリップやピンを、カードホルダに固着、または一体に形成してもよい。
【００４６】
また、開口部９ａは図１に示す吊り下げ器具９ｂを取り付けるための構成例であり、この開口部９ａにひも状物あるいはピン状物を通すことで、図示する吊り下げ器具９ｂに限らず種々の取り付け器具を取り付けることができる。また、開口部９ａの構成も一例であり、開口部に代えて突起形状とし、この突起形状に吊り下げ器具の一端を取り付ける構成としてもよい。
【００４７】
以下では、開口部９ａを例として説明する。開口部９ａを設置する位置は、カードホルダ３の長辺あるいは短辺とすることができ、その辺部分での位置は、カードホルダ３の長手方向（図１の中心軸１００の方向）の重心位置Ｇを通ると共に、この長手方向と直行する直線（図１の中心軸１０１）上に設ける。
【００４８】
この開口部９ａの設置位置は、後に説明するアンテナ６や電池７の設置位置との関係と協働することによって、カードホルダ３を取り付けた際に、アンテナの長手方向を鉛直方向に支持すると共に、カードホルダを中心軸を中心に左右の平衡を保って安定した位置に保持することができる。アンテナの長手方向を鉛直方向に支持することによって、アンテナが発信する垂直偏波による電波強度を水平偏波による電波強度よりも強くして、受信側の垂直方向のアンテナに対して、効率よく電波を送信することができる。
【００４９】
アンテナ６は、カードホルダの中心軸の軸上あるいは中心軸の近傍位置で、その長手方向を矩形状のカードホルダの何れかの辺に平行に配置する。図１では、アンテナ６を、その重心Gａがカードホルダ３の中心軸１０１を挟む近傍の一方の側に位置し、かつカードホルダ３の短辺（取り付け時に縦方向となる辺）に平行となるように配置している。また、電池７を、その重心Gｂが、中心軸１０１を挟む近傍の他方の側に位置するように配置している。なお、電池７は、その一部が中心線１０１を挟んでアンテナ６側の領域に位置しているが、重心Ｇｂは、前述の通り、その反対側の領域に位置している。この配置によって、発信部５が備える部材の中で大きな重量を占めるアンテナ６と電池７とが、取り付け部９の取り付け位置を通る中心軸１０１を挟んで両側に重量を分散して配置されることになる。
【００５０】
上記構成により、取り付け部９によってカードホルダ３を取り付けた際には、発信部５のアンテナ６は、取り付け部９の下方となる位置であって、中心軸１０１上又は近傍に配置され、取り付け部９によって取り付けた際に、アンテナ６はその自重によって取り付け部９の下方に垂下されて長手方向が鉛直方向となると共に、カードホルダ３も中心軸１０１を中心に左右の平衡を保って安定した位置に保持されることになる。
【００５１】
図１では、中心軸１０１を挟んでアンテナ６の重心と電池７の重心とが両側に位置する配置構成を示しているが、一般に、送信部５が備える部材の中で送信アンテナ６が最も重量があるため、アンテナ６を中心軸１０１の軸上あるいはその近傍に配置することで、上記したと同様に、取り付け部９によって取り付けた際に、アンテナ６を下方に垂下させて長手方向を鉛直方向とし、カードホルダ３の左右の平衡も保って安定した位置に保持することができる。
【００５２】
なお、発信部５のアンテナ６をカードホルダ３の一辺側に偏って配置し、カウンタバランス用の重り（図示していない）をカードホルダ３の対向する他辺側に設ける構成としてもよい。この構成については後述する。
【００５３】
図２は、本発明の携帯型発信機が備えるアンテナの一構成例を説明するための図である。
【００５４】
アンテナ６の長さは、通常、送信波長の１／２の長さをベースとして設定するが、アンテナを設置する条件に応じて１／４波長や１／８波長の長さのものが用いられる。
【００５５】
例えば、３００ＭＨｚの波長は約１ｍとなるため、アンテナの長さは１／２波長の約５０ｃｍが望ましいが、カードホルダ３を本体２とする構成では、カードホルダ３のカード収納部４に保持するクレジットカードのサイズが（８５×５４ｍｍ）であること、ネームホルダとして使用する場合には、厚さ方向の寸法は約１０ｍｍ以内が許容できる範囲であり、５ｍｍ程度とすることが望ましいこと、十分な送信強度を得るには１／８波長の約１２ｃｍが利用可能なアンテナの長さ限界であること等を考慮すると、アンテナ６の形状は、厚さを５ｍｍとし、長手方向を５５ｍｍとする、折りたたんだ長方形形状が条件を満たすものとなる。
【００５６】
なお、このサイズでは、クレジットカードのサイズが８５×５４ｍｍであるため、アンテナの長手方向はクレジットカードの短辺に長さよりも若干長くなることになる。
【００５７】
図２において、アンテナ６は、巻き数が１のループアンテナであり、例えば、銅製の辺部材を折り曲げて、両端部を向かい合わることで形成することができる。端部にはタブ６ａが設けられ、発信部内で生成された発信信号をアンテナ素子側に給電する。
【００５８】
図３は、本発明の携帯型発信機を裏面側から見た斜視図であり、発信部５内のアンテナ６の位置を破線で示している。図示する構成では、カードホルダ３と発信部５とを一体で形成する例を示し、発信部５及びアンテナ６をカードホルダ３の裏面中央部に設けた構成例を示している。
【００５９】
また、図３では、カード収納部４に対するカード２０の挿出入時の位置関係についても示している。この例では、カード収納部４のカード挿出入口をカードホルダ３の一方に短辺に設け、このカード挿出入口を通して出し入れすることによって、カード２０をカード収納部４内に挿入あるいは取り出しを行う。
【００６０】
以下、本発明の携帯型発信機の主にアンテナ配置における第２〜第６の各形態について図４〜図１２を用いて説明する。なお、図１に示すアンテナ配置を第１の形態とする。
【００６１】
アンテナ配置の第２の形態は、アンテナの重心と電池の重心中心軸を挟んで両側に位置すると共に、アンテナの長手方向がカードが備えるループアンテナの配線方向と直交する形態である。この第２の形態については、図４の平面図、及び図５の断面図を用いて説明する。なお、ここでは、図１で示した第１の形態と共通する部分については説明を省略する。
【００６２】
図４において、アンテナ６の重心Ｇａと電池７の重心Ｇｂは、カードホルダ３の取り付け部９を通る中心軸（図示していない）を挟んで両側に位置し、アンテナ６はこの中心軸、及びカードホルダ３の一方の辺（ここでは短辺）に平行に配置する。この構成によって、取り付け部９によって取り付けた際に、アンテナ６を下方に垂下させて長手方向を鉛直方向とし、カードホルダ３の左右の平衡を保持することができる。また、アンテナ６を、カードホルダ３に収納されたカード２０が備えるＩＣ２２と重ならない位置に配置する。
【００６３】
図４では、カード収納部４とそのカード収納部４内に収納したカード５、及びカード５に形成されているループアンテナ２１の配線を破線で示している。また、図５は図４中のＡ−Ｂ部分の断面を示し、矢印Ｃの方向から見た図である。
【００６４】
パッシブ型のカード５は、電力給電を受けるため、あるいは送信を行うためにアンテナを備えている。図４では、ループアンテナ２１の例を示しており、カード３の外周に沿って配線が形成されている。
【００６５】
カード収納部４内にカード３を収納すると、このカード３が備えるループアンテナ２１の配線と、発信部５が備えるアンテナ６とが交差することになる。ここで、アンテナが交差するとは、図４で示すように、携帯型発信機１のカードホルダ３を表裏面方向から見たとき、発信部５のアンテナ６の長手方向が、カード３側のループアンテナ２２の横方向（カードの長手方向）の配線と重なる状態である。
【００６６】
このような重なり状態では、カードホルダ３の厚みが制限されて薄く形成されているため、アンテナ６の長手方向の端部とループアンテナ２１の横方向の配線の一部との距離が接近することになり、ループアンテナ２２の配線とアンテナ６との間の電磁的結合が高まる。
【００６７】
この第２の態様では、カード及びカードホルダの寸法とアンテナの長手方向の寸法に求められる要求から、アンテナ６の長手方向の一端あるいは両端は、ループアンテナ２１の配線部分を重なる構成となるが、アンテナ６をカードホルダの中心軸の近傍に配置することによって、ループアンテナ２２の配線との重なり具合を減らし、ループアンテナ２２から受ける影響を低減する。これは、通常、カード３において、ループアンテナ２１はカード３の外周に沿って配線が形成され、カード３の中央部分には配線が形成されないためである。
【００６８】
また、アンテナ６、カードホルダ３に収納されたカード２０が備えるＩＣ２２と重ならない位置に配置することで、ＩＣ２２による影響を低減することができる。
【００６９】
なお、カード３において、ループアンテナ２１の配線がカード３の中央部分に形成される構成の場合には、発信部５のアンテナ６は、このループアンテナ２１の配線と重ならない位置にずらして配置することで、ループアンテナ２１による影響を低減することができる。
【００７０】
次に、本発明のアンテナ配置の第３の形態について説明する。この第３の形態については、図６の平面図、及び図７の断面図を用いて説明する。図７は図６中のＡ−Ｂ部分の断面を示し、矢印Ｄの方向から見た図である。なお、ここでは、図４，図５で示した第２の形態と共通する部分については説明を省略する。
【００７１】
アンテナ配置の第３の形態は、前記した第２の形態において、アンテナ６の長手方向がループアンテナ２２の配線と重ならないよう構成とするものであり、その他の構成は共通である。
【００７２】
第３の形態は、アンテナ６の長手方向の長さを短くしたり、サイズの大きなカード２０を用いることによって、アンテナ６の長手方向がループアンテナ２２の配線と重ならないよう構成することができる。アンテナ６の長手方向の長さの短縮は、１／１６波長のアンテナ構成とする他、少なくともアンテナを収納する部分のカードホルダ３の厚みを厚くする構成等によって行うことができる。
【００７３】
次に、本発明のアンテナ配置の第４の形態について説明する。この第４の形態については、図８の平面図、図９の断面図、及び図１０の斜視図を用いて説明する。図９は図８中のＥ−Ｆ部分の断面を示している。なお、ここでは、前記第１〜第３の形態と共通する部分については説明を省略する。
【００７４】
アンテナ配置の第４の形態は、アンテナ６をカードホルダ３の一方の辺側に配置すると共に、他方の辺側にカウンタバランス用の重り１２を配置する構成であり、その他の構成は共通である。
【００７５】
第４の形態は、カードホルダ３の取り付け部９を通る中心軸を挟んで両側にある辺（図８では左短辺）側の一方にアンテナ６を配置し、他方の辺（図８では右短辺）側に重り１２を配置する。カード収納部４に収納されるカード２０が備えループアンテナ２１の配線がカード２０の内周側に形成される構成の場合には、前記した第１〜第３の形態のアンテナと重なることになる。そこで、第４の形態では、ループアンテナ２１の配線と重ならないようにするため、アンテナ６をカードホルダ３の外側に配置する。
【００７６】
また、アンテナ６は、取り付け部９によって取り付けた際に鉛直方向（縦方向）とするために、取り付け部９を通る中心軸に平行に配置することが必要であるため、アンテナ６はカードホルダ３の取り付け部９を通る中心軸を挟んだ一方の辺（図８では左短辺）側に配置する。アンテナ６は、発信部５が備える構成要素の中で重量がある部材であるため、このように、一方の辺（図８では左短辺）側に配置すると、カードホルダ３のバランスがずれて傾くことになる。この傾きを防ぐために、他方の辺（図８では右短辺）側にアンテナ６による傾きを解消するに要する重さの重り１２を配置する。重り１２の重量は、アンテナ６の重さと中心軸からの距離、及び発信部５を構成する他の部材の重量や中心軸からの距離等によって設定される。
【００７７】
これによって、カードホルダ３は取り付け部９によって吊り下げられたとき、釣り合いがとられて安定した位置に保持することができる。
【００７８】
なお、図８，図９，図１０の構成では、電池７が中心軸からアンテナ６の側に配置した構成であるため、重り１２の重量はアンテナ６よりも軽量とすることができる。
【００７９】
次に、本発明のアンテナ配置の第５の形態について説明する。この第５の形態については、図１１の平面図を用いて説明する。なお、ここでは、前記第１〜第４の形態と共通する部分については説明を省略する。
【００８０】
アンテナ配置の第５の形態は、カードホルダの長手方向が鉛直方向となるように保持する形態である。カードホルダ３は、その長手方向の一方の端部（短辺側）に取り付け部９を設ける。発信部５が備える基板１１上にはアンテナ６、電池７、及びＩＣ８が設けられる。アンテナ６の重心Ｇａと電池７の重心Ｇｂは、取り付け部９を通る中心軸を挟んで両側に位置している。また、ＩＣ８は電池７側に設けられる。
【００８１】
アンテナ６は、カード収納部４内に収納するカード２０の外周部分に設けられるループアンテナ２１の配線の内周部分に配置し、アンテナ６の長手方向がカードホルダ３の長手方向の辺と平行となるように配置する。これにより、アンテナ６は取り付け部９を通る中心軸と平行に配置されることになる。また、アンテナ６は、カード２０が備えるＩＣ２２と重ならない位置に配置する。
【００８２】
アンテナ配置の第５の形態は、カードホルダをその長手方向が鉛直方向となるように配置する他は、前記第１の形態と同様であり、取り付け部９により取り付けることによってアンテナ６を鉛直方向に支持している。すなわち、垂直偏波による電波強度が水平偏波による電波強度よりも強くなるようにして、受信側の垂直方向のアンテナに対して、効率よく電波を送信する。
【００８３】
次に、本発明のアンテナ配置の第６の形態について説明する。この第６の形態については、図１２の平面図を用いて説明する。なお、ここでは、前記各形態と共通する部分については説明を省略する。
【００８４】
アンテナ配置の第６の形態は、発信部５をカードホルダ３に対して少なくとも９０°以上回転自在とする構成であり、その他の構成は他の形態と共通である。図６（ａ）はアンテナ６の長手方向がカードホルダ３の短辺と平行である状態を示し、図６（ｂ）はアンテナ６の長手方向がカードホルダ３の長辺と平行である状態を示している。
【００８５】
発信部５はカードホルダ３に対して回転自在とすると共に、カードホルダ３の各辺に取り付け部９が設けられる。各辺に設けた取り付け部９を選択することによって、カードホルダ３の取り付け方向は変化する。
【００８６】
カードホルダ３の長辺部分に設けた取り付け部９を用いて携帯型発信機を取り付けた場合には、カードホルダ３は長手方向が水平方向となる。この場合には図１２（ａ）に示すように、アンテナ６がカードホルダ３の短辺と平行となる位置に発信部５の回転位置を定める。
【００８７】
また、カードホルダ３の短辺部分に設けた取り付け部９を用いて携帯型発信機を取り付けた場合には、カードホルダ３は短手方向が水平方向となる。この場合には図１２（ｂ）に示すように、アンテナ６がカードホルダ３の長辺と平行となる位置に発信部５の回転位置を定める。
【００８８】
上記のように、取り付け部９の選択に応じて、発信部５をカードホルダ３に対して回転させることによって、アンテナ６の長手方向を常に鉛直方向に合わせることができる。なお、アンテナ６のみをカードホルダ３に対して回転自在とする構成としてもよい。
【００８９】
第１の形態から第６の形態では、携帯型発信機のアンテナがループアンテナであったが、他のアンテナを用いた場合も、同様に、長手方向を鉛直方向に合わせるのがよい。これは、ループアンテナに限らず、アンテナは、長手方向に対応した偏波方向の電波の方が、短手方向に対応した偏波方向の電波よりも強度が強いからである。
【００９０】
次に、本発明の携帯型発信機を用いた送受信システムの使用形態の例について図１３〜図１５を用いて説明する。
【００９１】
第１の使用形態は、図１３に示すように、利用者が着衣している衣服に取り付ける形態である。この使用形態によれば、利用者の衣服に取り付けられた携帯型発信機のアンテナは取り付け部によって鉛直方向に保持されるため、水平偏波よりも垂直偏波による電波強度の方が強くなる。すなわち、アンテナから発信される電波の主たる偏波方向は垂直偏波となる。この偏波方向は、例えばテーブル上に縦方向に載置された受信機アンテナ３１の受信特性が良好な偏波方向と合致しているため、受信機アンテナ３１は携帯型発信機１からの電波を良好に受信することができる。
【００９２】
第２の使用形態は、図１４に示すように、利用者の衣服以外の持ち物に取り付ける形態である。なお、図１４では利用者が腰掛ける椅子やバッグに携帯型発信機１を取り付ける例を示しているが、携帯型発信機１の取り付け箇所は、これに限らなない。
【００９３】
この使用形態によれば、持ち物に取り付けられた携帯型発信機のアンテナは取り付け部によって鉛直方向に保持されるため、アンテナから発信される電波の主たる偏波方向は垂直偏波となる。前記第１の使用形態と同様に、この偏波方向は、例えばテーブル上に縦方向に載置された受信機アンテナ３１の受信特性が良好な偏波方向と合致しているため、受信機アンテナ３１は携帯型発信機１からの電波を良好に受信することができる。
【００９４】
第１の使用形態、及び第２の使用形態によれば、携帯型発信機１を電子機器３０の使用管理に適用することができる。例えば、受信機アンテナ３１が携帯型発信機１からの発信信号を受信し、発信信号中に含まれる識別コード等を照合するといった確認処理を行い、電子機器３０の使用を管理する。
【００９５】
また、第３の使用形態は、入退出管理や構内での管理に適用する形態である。図１５はその一例であり、ゲート５０や椅子５１等の構内施設に受信機４０を設置し、利用者の衣服や持ち物に形態を取り付けることで入退出管理や構内での管理を行う。
【００９６】
ゲート５０や椅子５１には、床面５２やテーブル５３等の金属製素材からの影響を受け難くするために、受信機が備えるアンテナを鉛直方向に設置されている。すなわち、アンテナの長手方向の一方の端部側が床面５２やテーブル５３等から離れるため、これらの影響を、より受け難くなる。また、アンテナの長手方向を水平方向に配置した場合には、設置する向きによっては、アンテナが人の歩行に対して邪魔になることがあるが、鉛直方向に設置することにより、歩行の邪魔にならず、設置しやすい。携帯型発信機１側は、この受信側の受信環境に合わせてアンテナの長手方向をほぼ鉛直方向とすることで、良好な受信状態を形成する。
【００９７】
図１６は、受信機４０の一構成例である。受信機４０は、受信機アンテナ４１及び受信回路（図示していない）を備え、設置部４２により鉛直方向に支持される。設置部４２は、受信機４０の受信機アンテナ４１及び受信回路で受信した受信信号を、ケーブル（図示していない）を介して電子機器（図示していない）に送信する。
【００９８】
なお、図１６では、設置部４２は受信機４０と別体で構成しているが、設置部４２と受信機４０とは一体で構成してもよい。また、設置部は、テーブル上に載置する構成に限らず、壁部等からつり下げる構成としてもよい。
【産業上の利用可能性】
【００９９】
本発明の携帯型発信機は、電子機器のセキュリティー管理、入退出管理や構内での管理等に適用することができる。
【図面の簡単な説明】
【０１００】
【図１】本発明の携帯型発信機の概略を説明するための平面図及び断面図である。
【図２】本発明の携帯型発信機が備えるアンテナの一構成例を説明するための図である。
【図３】本発明の携帯型発信機を裏面側から見た斜視図である。
【図４】本発明の携帯型発信機のアンテナ配置の第２の形態を説明するための平面図である。
【図５】本発明の携帯型発信機のアンテナ配置の第２の形態を説明するための断面図である。
【図６】本発明の携帯型発信機のアンテナ配置の第３の形態を説明するための平面図である。
【図７】本発明の携帯型発信機のアンテナ配置の第３の形態を説明するための断面図である。
【図８】本発明の携帯型発信機のアンテナ配置の第４の形態を説明するための平面図である。
【図９】本発明の携帯型発信機のアンテナ配置の第４の形態を説明するための断面図である。
【図１０】本発明の携帯型発信機のアンテナ配置の第４の形態を説明するための斜視図である。
【図１１】本発明の携帯型発信機のアンテナ配置の第５の形態を説明するための平面図である。
【図１２】本発明の携帯型発信機のアンテナ配置の第６の形態を説明するための平面図である。
【図１３】本発明の携帯型発信機を用いた送受信システムの第１の使用形態を説明するための図である。
【図１４】本発明の携帯型発信機を用いた送受信システムの第２の使用形態を説明するための図である。
【図１５】本発明の携帯型発信機を用いた送受信システムの第３の使用形態を説明するための図である。
【図１６】本発明の送受信システムの受信機の一構成例を説明するための図である。
【図１７】受信状態を説明するための図である。
【符号の説明】
【０１０１】
１  携帯型発信機
２  本体
３  カードホルダ
４  カード収納部
５  発信部
６  アンテナ
７  電池
８  ＩＣ
９  取り付け部
９ａ  開口部
９ｂ  吊り下げ器具
１０  裏面カバー
１１  基板  
１２  重り
２０  カード
２１  ループアンテナ
２２  ＩＣ
３０  電子機器
３１  受信機アンテナ
４０  受信機
４１  受信機アンテナ
４２  設置部
５０ゲート
５１  椅子
５２  床面
５３  テーブル
１００，１０１  中心軸
【図１】
2006262400.tif 000003
【図２】
2006262400.tif 000004
【図３】
2006262400.tif 000005
【図４】
2006262400.tif 000006
【図５】
2006262400.tif 000007
【図６】
2006262400.tif 000008
【図７】
2006262400.tif 000009
【図８】
2006262400.tif 000010
【図９】
2006262400.tif 000011
【図１０】
2006262400.tif 000012
【図１１】
2006262400.tif 000013
【図１２】
2006262400.tif 000014
【図１３】
2006262400.tif 000015
【図１４】
2006262400.tif 000016
【図１５】
2006262400.tif 000017
【図１６】
2006262400.tif 000018
【図１７】
2006262400.tif 000019